(57)【要約】【課題】表示部に装着されるプレートの剥がれや脱落が起こりにくい浴室設置用電気・電子機器の提供を目的とした。【解決手段】オーディオ装置１は、本体部２を構成するケース本体部２０の円弧部２３に開口部２３ａを有し、これを介して内部にある表示装置２９が露出している。表示装置２９は、セグメントディスプレイの表面に取り付けられるカバー部材２９ｂと、この表面に取り付けられるプレート部材２９ｃとを有する。プレート部材２９ｃは、円弧状に湾曲しており、その湾曲方向の両端部がカバー部材２９ｂと開口部２３ａとの隙間を介してケース本体部２０の内側に侵入し、隠れている。【選択図】  図３
2008278063.tif 000002
【特許請求の範囲】
【請求項１】
浴室に設置して使用される浴室設置用電気・電子機器であって、
発光により情報を表示する表示手段と、当該表示手段を内部に収容した外装カバーとを有し、前記表示手段において発光により表示される情報を外部から視認可能であり、
前記外装カバーが、外側に向けて凸状に湾曲し、透光性を有する湾曲面を有し、
前記表示手段が、内蔵ケースと、表示部材と、プレート部材とを有し、内蔵ケース内に収容されており、
前記内蔵ケースにおいて、外装カバーの湾曲面に対向する位置には開口部が設けられており、
前記表示部材が、発光により情報を表示可能であって前記外装カバーの湾曲面に沿う形状に湾曲した表示面を有しており、
前記表示面が、前記開口部内において、内蔵ケースの外側に向くように配されており、
前記プレート部材が、透光性および弾性を有する板体であり、前記表示部材の表示面に沿って湾曲するように弾性変形させた状態で表示面に貼付されており、
前記プレート部材の外縁部分の一部又は全部が、内蔵ケースの開口部と表示部材との隙間を介して内蔵ケースの内側に侵入した状態になっていることを特徴とする浴室設置用電気・電子機器。
【請求項２】
内蔵ケースに設けられた開口部を取り囲む縁の一部又は全部に、内蔵ケースの内側に向き、内蔵ケースの外側から内側に向かうに連れて開口部に対して内蔵ケースの周方向外側に向けて拡がるように傾斜した傾斜面があり、
前記表示面が、内蔵ケースの内側からプレート部材を介して前記傾斜面に当接していることを特徴とする請求項１に記載の浴室設置用電気・電子機器。
【請求項３】
内蔵ケースが、少なくとも外装カバーの湾曲面に対向する部分において当該湾曲面に沿う形状に湾曲しており、
プレート部材の端部の曲率が、前記湾曲面の曲率よりも大きいことを特徴とする請求項１又は２に記載の浴室設置用電気・電子機器。
【請求項４】
外装カバーを内蔵ケースに被せた状態で、外装カバーを内蔵ケースに対して所定の回動方向に回動させることが可能なものであり、
プレート部材の端部のうち、少なくとも前記回動方向に位置する部分の一部又は全部が内蔵ケースの開口部と表示部材との隙間を介して内蔵ケースの内側に侵入していることを特徴とする請求項１〜３のいずれかに記載の浴室設置用電気・電子機器。
【請求項５】
表示手段の表示面の色相が、外装カバーの相と同一とされていることを特徴とする請求項１〜４のいずれかに記載の浴室設置用電気・電子機器。
【発明の詳細な説明】
【技術分野】
【０００１】
本発明は浴室設置用電気・電子機器に関するものであり、特に外装カバー内に収容され、発光により文字や図形等を表示可能な表示部を備えたものに関する。
【背景技術】
【０００２】
従来より、下記特許文献１に開示されている表示装置のような電気機器が提供されている。特許文献１に開示されている表示装置は、可撓性を有するプリント基板の表面に硬質の透明樹脂からなるプレートが接着等により装着されており、前記プリント基板に実装されている発光ダイオード（ＬＥＤ：Light Emitting Diode)によって文字や図形を表示できる構成とされている。
【特許文献１】特開２００１−６７０２３号公報
【発明の開示】
【発明が解決しようとする課題】
【０００３】
上記特許文献１の表示装置のように湾曲した面に硬質のプレートを装着した場合は、経年劣化による接着力の低下や、プレート自身の弾性力の影響等によりプレートの一部が剥がれて浮き上がることがあった。このような状態になると、表示の視認性が低下してしまうといった問題があった。また、ひとたびプレートが浮き上がった状態になると、当該部位にユーザーの指が触れる等してプレートの剥がれが促進されたり、やがてプレートが脱落してしまうといった不具合が起こる可能性があった。
【０００４】
また、浴室に設置して使用される浴室設置用電気・電子機器においては、上記したようなプレートの浮き上がりや剥がれが起こりやすい傾向にあった。すなわち、通常、浴室内は湿度が高くなる傾向にあるため、プレートを接着している接着剤等の接着力が低下しやすくなる傾向にあった。そのため、浴室に設置して使用される電気機器において、表示部に上記したようなプレートを取り付けた構造とする場合は、プレートの装着構造についてより一層の改善を施さねばならないといった問題があった。
【０００５】
そこで、かかる課題を解決すべく、本発明は、表示部に装着されるプレートの剥がれや脱落が起こりにくい浴室設置用電気・電子機器の提供を目的とした。
【課題を解決するための手段】
【０００６】
上記した課題を解決すべく提供される請求項１に記載の発明は、浴室に設置して使用される浴室設置用電気・電子機器であって、発光により情報を表示する表示手段と、当該表示手段を内部に収容した外装カバーとを有し、前記表示手段において発光により表示される情報を外部から視認可能であり、前記外装カバーが、外側に向けて凸状に湾曲し、透光性を有する湾曲面を有し、前記表示手段が、内蔵ケースと、表示部材と、プレート部材とを有し、内蔵ケース内に収容されており、前記内蔵ケースにおいて、外装カバーの湾曲面に対向する位置には開口部が設けられており、前記表示部材が、発光により情報を表示可能であって前記外装カバーの湾曲面に沿う形状に湾曲した表示面を有しており、前記表示面が、前記開口部内において、内蔵ケースの外側に向くように配されており、前記プレート部材が、透光性および弾性を有する板体であり、前記表示部材の表示面に沿って湾曲するように弾性変形させた状態で表示面に貼付されており、前記プレート部材の外縁部分の一部又は全部が、内蔵ケースの開口部と表示部材との隙間を介して内蔵ケースの内側に侵入した状態になっていることを特徴とする浴室設置用電気・電子機器である。
【０００７】
本発明の浴室設置用電気・電子機器では、表示部材の表示面が外装カバーの湾曲面に沿うように湾曲しているとともに、プレート部材が表示面に沿う形状に弾性変形して湾曲した状態で配されている。そのため、プレート部材の端部には、表示部材の表示面から離れようとする方向に弾性力が作用している。一方、本発明の浴室設置用電気・電子機器では、プレート部材の外縁部分の一部又は全部が内蔵ケースの開口部と表示部材との隙間から内蔵ケースの内側に侵入した状態になっている。すなわち、本発明の浴室設置用電気・電子機器では、プレート部材の外縁部分の一部又は全部が内蔵ケースの内側に隠れた状態になっている。そのため、本発明の浴室設置用電気・電子機器は、仮にユーザーの手等が内蔵ケースやプレート部材に触れるようなことがあっても、プレート部材の端部に手等がひっかかってプレート部材が剥がれるような不具合が起こりにくい。
【０００８】
ここで、本発明の浴室設置用電気・電子機器のように浴室のような湿度が高く、水で濡れるような場所で使用される機器類において、上記したプレート部材を貼付する構成とした場合は、湿気の影響によりプレート部材が剥がれやすくなる傾向にある。また特に、プレート部材の端部が剥がれた状態になると、これに連鎖してプレート部材全体が剥がれやすくなる傾向にある。そのため、浴室内への設置を考慮した場合、プレート部材の端部が湿気の影響をうけても剥がれにくい構成であることが望ましい。
【０００９】
かかる事情を考慮し、本発明の浴室設置用電気・電子機器では、外装カバーの内部に表示手段を収容した構成とし、さらにプレート部材の端部が内蔵ケースの内側に配した構成としている。そのため、本発明の浴室設置用電気・電子機器は、浴室のような湿度が高く、水で濡れるような場所で使用されても、プレート部材の端部が濡れたり、湿気にさらされる可能性を最小限に低減することができる。そのため、本発明の浴室設置用電気・電子機器は、プレート部材が湿度の影響により剥がれやすくなるのを防止することができる。
【００１０】
ここで、本発明の浴室設置用電気・電子機器のような構成とした場合、プレート部材の端部が剥がれる等すると、プレート部材自身の弾性力により、プレート部材の端部が外装カバーの内周面に近づいたり、内周面に当接した状態になる可能性がある。一方、本発明の浴室設置用電気・電子機器では、透光性を有する外装カバーの湾曲面に表示部材の表示面が位置している。そのため、前記したようなプレート部材の剥がれが生じると、プレート部材の端部が外装カバーに陰として写り込んでしまう等して、外観を損なう可能性がある。また、プレート部材の一部が表示部材の表示面から剥がれた状態になると、表示面で発生する光が予期せぬ方向に漏洩したり反射することとなり、表示面に表示される発光の視認性まで低下する可能性がある。
【００１１】
しかし、上記したように、本発明の浴室設置用電気・電子機器は、プレート部材の剥がれや浮き上がりが起こりにくいため、上記したようにプレート部材が外装カバーに陰として写り込む等して外観が損なわれる可能性が低い。また、本発明の浴室設置用電気・電子機器は、プレート部材の剥がれた状態になりにくいため、表示面で発生する光が予期せぬ方向に漏洩したり反射することがなく、表示面に表示される発光の視認性が良い。
【００１２】
ここで、上記した浴室設置用電気・電子機器において、開口部に表示部の表示面を嵌め込む構成とすると、表示面と開口の縁部との間に幾ばくかの隙間ができることとなる。そのため、このような構成の場合は、外装カバーを装着した状態で表示面を正面視すると、前記した隙間に相当する部分によって表示面がくっきりと縁取られたように見え、外観が損なわれる可能性が高い。また、前記したような隙間がある場合は、仮にこの隙間がごく僅かなものであったとしても、何らかの拍子に表示面に貼付されたプレート部材の端部が人の手などに引っかかったり、当該隙間を介してプレート部材と表示面との間に水分が回り込む等してプレート部材が端部から剥がれるといったような不具合を誘引しかねない。
【００１３】
そこで、かかる知見に基づいて提供される請求項２に記載の発明は、内蔵ケースに設けられた開口部を取り囲む縁の一部又は全部に、内蔵ケースの内側に向き、内蔵ケースの外側から内側に向かうに連れて開口部に対して内蔵ケースの周方向外側に向けて拡がるように傾斜した傾斜面があり、前記表示面が、内蔵ケースの内側からプレート部材を介して前記傾斜面に当接していることを特徴とする請求項１に記載の浴室設置用電気・電子機器である。
【００１４】
かかる構成とした場合、開口部に取り付けられた表示部側から正面視した場合に、内蔵ケースの外周面と表示部の表示面とがなだらかに連続したように見え、上記したような隙間が見えにくい。そのため、本発明の浴室設置用電気・電子機器は、表示面の表示が見える姿勢として正面視しても、上記したような隙間に相当する部分によって表示面がくっきりと縁取られたように見えるといった外観上の不具合が発生しにくい。
【００１５】
また、上記した構成とした場合、表示面に貼付されたプレート部材の端部が傾斜面と表示面とに挟まれた状態となり、当該部位は内蔵ケースの外周面側に露出しない。そのため、上記した構成によれば、プレート部材が端部から剥がれてしまうのを防止することができる。
【００１６】
ここで、上記したように、内蔵ケースに設けられた開口部に表示部を配した構成とした場合は、プレート部材の端部と開口部の縁との境界部分に隙間等があると、この隙間によって表示部の表示面が縁取られたように見え、外観を損なう可能性がある。このような懸念がある場合は、プレート部材の端部を外装カバーの内周面からなるべく離れた場所に到来する構成とすることが望ましい。一方、かかる外観上の問題を重視して表示面を外装カバーの内周面から離れた位置に配すると、外装カバーの外から見える表示面の発光が不鮮明になる可能性がある。そのため、前記した外観上の問題と、表示面の視認性の問題の双方を満足するためには、プレート部材の端部近傍が外装カバーの内周面から離れた位置に存在すると共に、その他の部分が外装カバーの内周面に近い位置にあることが望ましい。
【００１７】
そこで、かかる知見に基づいて提供される請求項３に記載の発明は、内蔵ケースが、少なくとも外装カバーの湾曲面に対向する部分において当該湾曲面に沿う形状に湾曲しており、プレート部材の端部の曲率が、前記湾曲面の曲率よりも大きいことを特徴とする請求項１又は２に記載の浴室設置用電気・電子機器である。
【００１８】
かかる構成とすれば、表示部の表示面が縁取られたように見えるのを抑制できると共に、表示面の表示を鮮明に視認可能な浴室設置用電気・電子機器を提供できる。
【００１９】
請求項４に記載の発明は、外装カバーを内蔵ケースに被せた状態で、外装カバーを内蔵ケースに対して所定の回動方向に回動させることが可能なものであり、プレート部材の端部のうち、少なくとも前記回動方向に位置する部分の一部又は全部が内蔵ケースの開口部と表示部材との隙間を介して内蔵ケースの内側に侵入していることを特徴とする請求項１〜３のいずれかに記載の浴室設置用電気・電子機器である。
【００２０】
本発明の浴室設置用電気・電子機器は、内蔵ケースに被せた外装カバーを内蔵ケースに対して所定の回動方向に回動させることができる構成とされている。そのため、本発明の浴室設置用電気・電子機器は、外装カバーを回動させる際に、プレート部材において前記回動方向に位置する部分が擦れあい、プレート部材が剥がれる原因となる可能性がある。かかる事態を想定し、本発明の浴室設置用電気・電子機器では、プレート部材において前記回動方向に位置する部分の一部又は全部を表示部材との隙間を介して内蔵ケースの内側に侵入させた構成とし、プレート部材の端部が外装カバーと擦れあうのを防止している。そのため、本発明の浴室設置用電気・電子機器では、外装カバーの回動に伴い、プレート部材が端部から剥がれていくのを防止することができる。
【００２１】
請求項５に記載の発明は、表示手段の表示面の色相が、外装カバーの色相と同一とされていることを特徴とする請求項１〜４のいずれかに記載の浴室設置用電気・電子機器である。
【００２２】
かかる構成によれば、内蔵ケースに設けられた開口の縁部と表示部の表示面との間に幾ばくかの隙間や段差ができたとしても、これが外装カバー側から見て目立たない構成の浴室設置用電気・電子機器を提供できる。
【発明の効果】
【００２３】
本発明によれば、表示部に装着されるプレートの剥がれや脱落が起こりにくい浴室設置用電気・電子機器を提供できる。
【発明を実施するための最良の形態】
【００２４】
続いて、本発明の浴室設置用電気・電子機器の一実施形態であるオーディオ装置１について、図面を参照しながら詳細に説明する。なお、以下の説明において、上下の位置関係については、特に断りのない限りオーディオ装置１を通常の使用形態で設置した状態を示す。
【００２５】
オーディオ装置１は、浴室や台所等のように水を使用する環境下において使用することを想定したものであり、特に高温多湿になりうる浴室においても好適に使用可能なものである。オーディオ装置１は、ユーザーが任意の位置に設置可能な、いわゆるポータブル型の装置である。図１に示すように、オーディオ装置１は、本体部２を有し、本体部の中心軸Ｖが鉛直方向に向くように設置した状態で使用される。図２に示すように、後に詳述する本体部２の構成部材である脚部３やこれに取り付けられ一体化された内蔵ケース８に対して外装カバー７を被せて装着することにより内部に水密な空間（水密部４７）が形成されている。図２に示すように、この空間の内部には、後に詳述する制御基板１２ａ，１２ｂやスピーカー５、電池ボックス６等の電気・電子部材が設けられている。
【００２６】
本体部２は、オーディオ装置１の主要部を構成するものであり、図３や図４に示すように外観が円筒状の外装カバー７と、内蔵ケース８とを備えている。外装カバー７は、透光性を有し、半透明で乳白色の樹脂により形成されている。外装カバー７は、一端側が閉塞された筒状の部材であり、天面１５と外周面１６（湾曲面）とを有する。すなわち、外装カバー７は、外周面１６全体が外側に向けて凸状に湾曲した湾曲面を構成している。
【００２７】
図１〜図３、図７等に示すように、外装カバー７は、天面側から開放端側に向けて徐々にその開口領域が拡張した、いわゆる末広がり状の形状とされている。すなわち、本実施形態で採用されている外装カバー７は、ほぼ全体が天面側から開放端側に向けて断面領域が拡張した形状となっている。
【００２８】
外装カバー７の天面１５は、オーディオ装置１の操作部として機能する部分であり、操作用のボタン１７が設けられている。また、図７に示すように、外装カバー７の下端側（開放端側）の内周面には、係合溝９が設けられている。
【００２９】
係合溝９は、後に詳述する脚部３の外周に設けられた突起４１との組み合わせにより、外装カバー７を脚部３側に係合させるための係合手段として機能するものである。係合溝９は、外装カバー７の周方向に伸びる部分（以下、周溝部９ｘとも称す）と、外装カバー７の高さ方向に伸びる部分（以下、縦溝部９ｙとも称す）とが連続した略鈎型の溝である。係合溝９は、外装カバー７の高さ方向に伸びた部分の端部が外装カバー７の開口端（下端）側に解放されている。係合溝９は、外装カバー７の周方向に３箇所設けられており、互いに１２０度離れた位置関係にある。
【００３０】
図７（ａ）に示すように、上記した３つの係合溝９のうちの一つ（以下、係合溝９ａとも称す）にはリブ１１が設けられている。リブ１１は、係合溝９ａを構成する周溝部９ｘ内に、周溝部９ａを縦断するように設けられている。また、リブ１１は、外装カバー７の内側に向けて突出している。一方、係合溝９ａ以外の２つの係合溝９（以下、係合溝９ｂ，９ｃとも称す）には、リブ１１に相当するものは設けられていない。
【００３１】
図２等に示すように、内蔵ケース８は、ケース本体部２０と、天部２１と、底部２２とを有する樹脂製の部材である。内蔵ケース８は、乳白色の樹脂によって形成されている。すなわち、内蔵ケース８は、上記した外装カバー７と透光性の有無の差はあるが、色相が同一の色とされている。
【００３２】
図８（ａ）に示すように、ケース本体部２０は、その主要部をなす主構造部２０ａと前面カバー部２０ｂとを一体化することによって構成されている。図９に示すように、ケース本体部２０は、円弧部２３と、これに対向した背面部２５によって囲まれた空間Ｐを有する。この空間Ｐ内には、電池ボックス６や制御基板１２ｂ、表示装置２９等が収容されている。
【００３３】
図３に示すように、円弧部２３は、前面カバー部２０ｂによってその大半が構成されており、断面形状が略円弧状となっている。ケース本体部２０は、前面カバー部２０ｂに設けられた開口部２３ａに相当する位置に設けられた表示装置２９（表示部）を視認できる構造となっている。さらに詳細に説明すると、ケース本体部２０は、円弧部２３に正面視が略矩形の開口部２３ａを有している。
【００３４】
図１１に示すように、開口部２３ａは、ケース本体部２０の上下方向に伸びる一対の縁（以下、縦縁部２３ｂとも称す）と、ケース本体部２０の周方向に伸びる一対の縁（以下、横縁部２３ｃとも称す）とによって囲まれた開口である。縦縁部２３ｂ，２３ｂにおいてケース本体部２０の外周側および内周側の双方の面が面取りされている。
【００３５】
具体的には、縦縁部２３ｂ，２３ｂおよび横縁部２３ｃ，２３ｃは、ケース本体部２０の外側において、それぞれ開口部２３ａ側に近づくにつれて徐々にケース本体部２０の内側に向けて傾斜するように面取りされている。これに加えて、縦縁部２３ｂ，２３ｂについては、ケース本体部２０の内側の部分においても、開口部２３ａ側に近づくにつれて徐々にケース本体部２０の内側に向けて傾斜するように面取りされている。すなわち、縦縁部２３ｂ，２３ｂは、ケース本体部２０の外側から内側に向かうに連れてケース本体部２０の周方向外側に向けて拡がるように傾斜した傾斜面２３ｄ，２３ｄを有する。
【００３６】
一方、図１１（ｄ），（ｆ）等に示すように、前面カバー部２０ｂに設けられた開口部２３ａを取り囲む横縁部２３ｃ，２３ｃのうち、通常の設置状態において下方側に位置するものについては、ケース本体部２０の内側に向く部分が面取りされ、傾斜面２３ｅが形成されている。傾斜面２３ｅは、ケース本体部２０の下方側から開口部２３ａの開口領域に近づくほど肉薄になるように形成されている。このように、縦縁部２３ｂ，２３ｂおよび横縁部２３ｃ，２３ｃは、それぞれ開口部２３ａに近づくほど肉薄になるように、前面カバー部２０ｂの表面側および裏面側が面取りされている。
【００３７】
また、縦縁部２３ｂ，２３ｂにおいて、ケース本体部２０の内側に形成された傾斜面２３ｄ，２３ｄは、ケース本体部２０の外側に施された面取りよりもケース本体部２０の周方向に、広域にわたって形成されている。傾斜面２３ｄ，２３ｄは、わずかに湾曲している。傾斜面２３ｄ，２３ｄの湾曲の曲率は、円弧部２３の外周の曲率よりもわずかに大きい。
【００３８】
上記したように、ケース本体部２０内の空間Ｐには、表示装置２９が収容されている。図８（ｂ）に示すように、表示装置２９は、表示基板２９ａとカバー部材２９ｂとプレート部材２９ｃとを有する。表示基板２９ａは、いわゆるセグメントディスプレイ（Segment Display）を取り付けた電子基板によって構成されている。本実施形態では、表示装置２９として７セグメントディスプレイ(Seven-Segment Display)を備えたものが採用されている。表示装置２９は、いわゆる１４セグメントディスプレイや、１６セグメントディスプレイ、ドットマトリクス・ディスプレイ等を備えた構成とされていてもよい。
【００３９】
カバー部材２９ｂは、樹脂製の部材であり、上記した外装カバー７や、ケース本体部２０と同系統の色、すなわち色相が同一の色とされている。図８（ｂ）や図１０に示すように、カバー部材２９ｂは、円弧状に湾曲した板部２９ｄによって主要部が構成されている。カバー部材２９ｂは、板部２９ｄの上下（長手方向両端部）に設けられた固定片２９ｅ，２９ｆをネジ止めしたり係合させる等することにより固定されている。これにより、図８（ａ）等に示すように、板部２９ｄがケース本体部２０の上下方向に沿って立設している。
【００４０】
板部２９ｄは、表示基板２９ａに設けられたセグメントディスプレイに被せられる部分である。板部２９ｄは、表示基板２９ａにカバー部材２９ｂを取り付けた状態においてセグメントディスプレイにおいて発光により表示された情報を表示するための表示面として機能する部分である。すなわち、板部２９ｄは、表示装置２９の表示面をなす部分である。
【００４１】
板部２９ｄは、隣り合うセグメントから発せられる光同士が互いに干渉するのを防止する機能を有する。すなわち、板部２９ｄには、表示基板２９ａに設けられたセグメントディスプレイの各セグメントと同一の位置関係となるように透光孔２９ｉが設けられている。板部２９ｄは、表示基板２９ａに設けられたセグメントディスプレイの各セグメントと各透光孔２９ｉとの位置が合致するように取り付けられる。これにより、各セグメントにおいて発生する光が隣接するセグメント側に漏れるのを防止可能な構成が形成されている。
【００４２】
板部２９ｄの曲率は、上記した円弧部２３に設けられた開口部２３ａを取り囲む縦縁部２３ｂを構成する傾斜面２３ｄの曲率と略同一とされている。すなわち、板部２９ｄの曲率は、上記したケース本体部２０を構成する円弧部２３の外周面の曲率よりも大きい。
【００４３】
板部２９ｄは、湾曲の外側の面、すなわち表面２９ｊ側において、その外縁の部分（以下、側方外縁部２９ｇとも称す）が面取りされている。具体的には、板部２９ｄは、その湾曲方向両端部に位置する部分に側方外縁部２９ｇがあり、これに面取りが施されている。また、板部２９ｄは、表面２９ｊ側であって、通常の設置状態において下端側に相当する部分（以下、下方外縁部２９ｋとも称す）にも面取りが施されている。また、側方外縁部２９ｇ，２９ｇや下方外縁部２９ｋは、側方外縁部２９ｇ，２９ｇの間であって、下方外縁部２９ｋより上方側に位置する板部２９ｄの中心側の領域（以下、中心部２９ｈとも称す）よりも僅かに突出しており、側方外縁部２９ｇ，２９ｇや下方外縁部２９ｋと中心部２９ｈとの間に段差が形成されている。
【００４４】
プレート部材２９ｃは、カバー部材２９ｂに設けられた透光孔２９ｉを介して放出された光が透過するエリアを制限すると共に、光を拡散させて均一に発光させるために設けられたものである。プレート部材２９ｃは、組み立て状態において上記したカバー部材２９ｂの板部２９ｄの表面側に両面テープや接着剤等を用いて貼付されている。そのため、プレート部材２９ｃは、カバー部材２９ｂの板部２９ｄに密着している。また、プレート部材２９ｃは、板部２９ｄに沿って湾曲しているため、その曲率がケース本体部２０を構成する円弧部２３の外周面の曲率よりも大きくなっている。
【００４５】
また、プレート部材２９ｃは、樹脂製で、可撓性を有するシート状の部材である。プレート部材２９ｃは、上記したカバー部材２９ｂの板部２９ｄの表面側において、中心部２９ｈ内に収まり、中心部２９ｈの略全体を覆う大きさとされている。さらに、プレート部材２９ｃの厚みは、中心部２９ｈに対する側方外縁部２９ｇや下方外縁部２９ｋの突出量、すなわち両者の間に形成された段差の大きさと同等、あるいは、段差よりも薄い。そのため、プレート部材２９ｃは、カバー部材２９ｂの側方外縁部２９ｇ，２９ｇや下方外縁部２９ｋの近傍を指等で触れても、プレート部材２９ｃの端の部分には指等が直接的に触れない。
【００４６】
プレート部材２９ｃは、透光性を有する樹脂によって形成されているが、板部２９ｄの表面に貼付した状態において板部２９ｄに設けられた孔に対応する部分以外の部分には外装カバー７や内蔵ケース８等と同系統の色、すなわち乳白色のマスキングが施されている。プレート部材２９ｃは、マスキングが施された部分が透光性を有しない状態とされている。そのため、プレート部材２９ｃは、カバー部材２９ｂの透光孔２９ｉを介して放出された光が透過するエリアを制限することができる。
【００４７】
図３に示すように、上記した表示装置２９は、ケース本体部２０の組み立て段階において、主構造部２０ａ側に取り付けた状態とされる。さらに具体的には、表示装置２９をケース本体部２０に取り付ける場合は、両面テープや接着剤、糊等によってカバー部材２９ｂの表面２９ｊに予めプレート部材２９ｃを貼付した状態として準備される。このようにしてカバー部材２９ｂおよびプレート部材２９ｃが準備されると、カバー部材２９ｂの固定片２９ｅ，２９ｆをケース本体部２０側に係合させたりネジ止めする等して、カバー部材２９ｂが固定される。そして、この状態で図８（ａ）に示すように前面カバー部２０ｂをケース本体部２０に対して取り付けて一体化すると、図３に示すように前面カバー部２０ｂに設けられた開口部２３ａにおいて表示装置２９の主要部が露出した状態になる。
【００４８】
さらに具体的には、ケース本体部２０を組み立てた状態において、表示装置２９の表面に貼付されたカバー部材２９ｂのうち、ケース本体部２０の周方向両端側に位置する外縁部分、すなわち開口部２３ａ側から正面視した状態においてカバー部材２９ｂの左端側、並びに、右端側に相当する部分が開口部２３ａの縦縁部２３ｂ，２３ｂの裏側に隠れた状態になる。また、縦縁部２３ｂ，２３ｂに隠れた部分を除く部位は、開口部２３ａの開口領域内に露出した状態となっている。そのため、ケース本体部２０の外側から、表示装置２９に表示されるセグメント表示を視認することができる。
【００４９】
さらに、表示装置２９は、開口部２３ａの開口領域内に露出した部分は、ケース本体部２０を構成する円弧部２３と曲率が略同一である。そのため、開口部２３ａの周囲を取り囲む縦縁部２３ｂ，２３ｂ近傍および横縁部２３ｃ，２３ｃ近傍を除く部分は、円弧部２３と略面一となっている。
【００５０】
図４に示すように、ケース本体部２０の背面部２５には、蓋体２６が着脱自在なように設けられている。蓋体２６は、ケース本体部２０内に設けられた電池ボックス６に相当する位置に設けられている。そのため、ケース本体部２０は、本体部２の軸線方向に沿って形成され、本体部２を縦断する境界面Ｘ（図２、図３を参照）を想定した場合に、この境界面Ｘを境として領域Ｂとは逆側に想定される領域Ａ側から蓋体２６を取り外し、電池ボックス６に対して電池を着脱することができる。
【００５１】
図２や図３等に示すように、天部２１は、上記したケース本体部２０の上端側に設けられた、外観が円筒状の部分である。図２に示すように、天部２１の内部空間Ｑは、上記したケース本体部２０の内部空間Ｐと連通している。天部２１の内部空間Ｑには、オーディオ装置１の制御基板１２ａが収容されている。図２に示すように、制御基板１２ａは、内部空間Ｐ，Ｑ間にわたって配された配線により、ケース本体部２０側に配された制御基板１２ｂに対して電気的に接続されている。
【００５２】
図３に示すように、天部２１の天面２１ａは、平面視が略円形であり、複数の開口２７を備えている。天面２１ａには、図示しない保護シートが貼り付けられており、開口２７を介して湯水が侵入できない構造とされている。各開口２７は、上記した外装カバー７を内蔵ケース８に装着した際に外装カバー７に設けられた各ボタン１７が到来するように位置あわせして設けられている。
【００５３】
図２に示すように、天部２１内に収容されている制御基板１２ａは、オーディオ装置１を作動させるための電子部品に加え、オーディオ装置１の操作を行うための押圧式のスイッチ３０や、外部メモリに接続するための接続端子３１を備えている。本実施形態では、接続端子３１としてＵＳＢ（Universal Serial Bus）端子を備えている。スイッチ３０は、天部２１の天面２１ａに設けられた開口２７を介して操作可能とされている。また、接続端子３１は、一般的にＵＳＢメモリやＵＳＢフラッシュメモリ、ＵＳＢフラッシュドライブ等と称されるものに代表される外部メモリ３３の端子を接続することができるものである。本実施形態では、外部メモリ３３の端子を天部２１の底面２１ｃに設けられた開口２８を介して差し込むことにより、外部メモリ３３を制御基板１２ａに接続可能とされている。
【００５４】
上記したように、制御基板１２ａは、制御基板１２ｂに電気的に接続されている。そして、制御基板１２ａの接続端子３１に接続されたＵＳＢメモリ等の外部メモリ３３に記録されている音声データ、すなわち音声信号をデジタルデータに変換したデータは、制御基板１２ａに読み込まれ、制御基板１２ｂ側に伝達される。具体的には、制御基板１２ａは、外部メモリ３３にＷＡＶ形式で記録された音声データや、ＭＰ３（MPEG Audio Layer-3）形式やＡＡＣ（Advanced Audio Coding）形式に代表される音声圧縮方式で記録された音声データを読み込み、これを制御基板１２ｂに伝達する機能を有する。また、制御基板１２ｂは、制御基板１２ａ側から伝達されてきた音声データをスピーカー５を介して再生する機能を備えている。
【００５５】
図３等に示すように、ケース本体部２０の下端側には底部２２が設けられている。底部２２は、上記したケース本体部２０の下方に連続した円筒状の円筒部２４ａと、フランジ部２４ｂと、係合部２４ｃとを有する。円筒部２４ａは、外径が上記した天部２１よりも小さく、天部２１と軸心位置が一致している。底部２２は、通常の設置状態において上側となる位置にケース本体部２０の背面部２５よりも領域Ａ側に張り出した部分があり、当該部分が底部天面２２ａによって閉塞されている。一方、底部２２の下端側の部分は、フランジ部２４ｂの中央にある底部開口２４ｄを介して開放されている。底部２２内の空間Ｒは、後に詳述するスピーカー５のスピーカー本体部４０を嵌め込むための空間として機能すると共に、ケース本体部２０の空間Ｐの内外を連通する部分としても機能する。外周面２２ｂは、領域Ａ側の部分に周部開口２２ｃを有する。底部２２内の空間Ｒは、周部開口２２ｃを介してケース本体部２０の内部空間Ｐと連通している。
【００５６】
図３等に示すように、底部２２のフランジ部２４ｂの下面側には筒部２４ｅが設けられている。筒部２４ｅは、フランジ部２４ｂから下方に向けて突出した筒状の部分である。係合部２４ｃの内部空間は、上記した底部２２の内部空間Ｒと連続している。筒部２４ｅの内部空間は、前記内部空間Ｒと同様に、スピーカー５を収容するために使用される。
【００５７】
図２や図６（ｂ）に示すように、フランジ部２４ｂの裏面側、すなわち筒部２４ｅが設けられた側の面には、係合部２４ｃが設けられている。係合部２４ｃは、図６（ｂ）に示すように、後述する脚部３の切欠部３ｇと係合する部分である。また、フランジ部２４ｂの領域Ａ側の位置であって、係合部２４ｃに相当する位置には、通気用縦貫通孔５０が設けられている。通気用縦貫通孔５０は、フランジ部２４ｂおよび係合部２４ｃの厚み方向、すなわち内蔵ケース８の軸方向に伸びている。
【００５８】
本体部２において、内蔵ケース８の底部２２に対してさらに下方側の位置には、脚部３が取り付けられている。脚部３は、本体部２をオーディオ装置１の設置面から上方に浮かせた状態で支持するための支持体としての機能を有する。これに加えて、脚部３は、スピーカー５を取り付けるためのスピーカ設置手段としての機能を有する。さらに、脚部３は、底部２２に取り付けられたスピーカー５から放射される音の反射板としての機能も有する。
【００５９】
図３に示すように、脚部３は、スピーカー収容部３ａと、脚天部３ｂと、脚底部３ｃと、立設部３ｄとを有する。スピーカー収容部３ａは、図２や図３等に示すように円筒状である。スピーカー収容部３ａの外径は、上記した本体部２のフランジ部２４ｂの外径と略同一とされている。図３や図６（ａ）に示すように、スピーカー収容部３ａの内側には切欠部３ｇが設けられている。切欠部３ｇは、スピーカ収容部３ａの内周壁の一部を切り欠いて形成されたものである。切欠部３ｇは、スピーカー収容部３ａの上方から下方に向かうに従ってスピーカー収容部３ａの径方向外側から内側に向けて傾斜した傾斜面３ｈを有する。傾斜面３ｈの傾斜は、上記した内蔵ケース８の底部２２を構成する係合部２４ｃの下面側の傾斜と略同一とされている。
【００６０】
脚部３の外周には、外装カバー７の内周面に設けられた係合溝９と係合可能な突起４１が３つ、脚部３の周方向に略等間隔に形成されている。３つの突起４１のうちの一つ（以下、突起４１ａとも称す）は、上記した内蔵ケース８の底部２２において周部開口２２ｃが設けられた側の部分に設けられている。すなわち、脚部３の外周であって、上記した通気用縦貫通孔５０が設けられた部位の近傍の位置に突起４１ａが設けられている。図３に示すように、残りの２つの突起４１についても、脚部３の外周に設けられている。この２つの突起４１は、それぞれ突起４１ａに対して時計回り方向および反時計回り方向に１２０度ずれた位置に設けられている。
【００６１】
上記した３つの突起４１ａ〜４１ｃは、いずれも外装カバー７の内周面に設けられた鈎状の係合溝９ａ〜９ｃに沿って摺動し、係合可能な大きさとされている。また特に、図７（ｂ）に示すように、外装カバー７の装着時に係合溝９ａと係合する突起４１ａについては、図５に示すように、残りの２つの突起４１とは異なり、その長さ方向（脚部３の周方向）の中途に段部４１ｅが設けられている。段部４１ｅは、係合溝９ａの周溝部９ｘ内に設けられたリブ１１が係合可能な大きさとされている。
【００６２】
また、図５に示すように、スピーカー収容部３ａの外周には、全周にわたって突出した突出部４３ａを有する。突出部４３ａの外径は、上記した外装カバー７の内径と略同一とされている。また、突出部４３ａには、スピーカー収容部３ａの全周を取り囲むように設けられた溝４３ｂを有する。溝４３ｂには、Ｏリング４５が装着されている。
【００６３】
スピーカー収容部３ａにはスピーカー５が収容されている。スピーカー５は、上記した制御基板１２ｂに対して電気的に接続されている。スピーカー５は、制御基板１２ｂからの電気信号を受けて、振動板３８から放射される音を下方に向けて放射可能なように取り付けられている。すなわち、スピーカー５は、図２や図３に示すように、振動板３８が下方を向き、スピーカー５を構成する図示しないコイルや磁石を内蔵したスピーカー本体部４０が上方を向く姿勢とされ、スピーカ収容部３ａの内部に上方から挿入され、収容されている。
【００６４】
脚天部３ｂは、平面視が略環状で、その外径が上記したスピーカー収容部３ａの外径よりもやや大きな平板状の部分である。脚天部３ｂの略中央部には、貫通孔３ｅが設けられている。貫通孔３ｅの開口径は、上記したスピーカー収容部３ａの開口径よりもやや小さい。そのため、スピーカ収容部３ａに収容されているスピーカー５は、脚天部３ｂによって振動板３８の外周部分が支持された状態となっている。
【００６５】
スピーカー収容部３ａおよび脚天部３ｂには、通気用縦貫通孔５１および通気用横穴５２が設けられている。通気用縦貫通孔５１は、上下方向に貫通した貫通孔である。通気用縦貫通孔５１は、本体部２の組み立て状態において、上記した通気用縦貫通孔５０と連通して一連の通路（以下、主通気路５５ａとも称す）を形成する。また、通気用横穴５２は、主通気路５５ａに合流する通路を形成する。
【００６６】
通気用縦貫通孔５１は、一方側の端部が脚天部３ｂに開口しており、他方側の端部が切欠部３ｇの傾斜面３ｈに開口している。また、図５に示すように、通気用横穴５２は、上記した突起４１ａに対して、脚部３の周方向にずれた位置に設けられている。
【００６７】
また、通気用横穴５２は、スピーカー収容部３ａと脚天部３ｂとの境界部分近傍、具体的には図６（ｃ）に示すように、上記した突出部４３ａであって溝４３ｂに対して下方側に外れた部分に開口領域の一部がさしかかるように設けられている。通気用横穴５２は、スピーカー収容部３ａの径方向に伸びており、上記した通気用縦貫通孔５１と連通している。
【００６８】
スピーカー収容部３ａの内周面に設けられた切欠部３ｇの傾斜面３ｈには、通気用縦貫通孔５１の開口を閉塞するように通気膜５７（膜体）が貼り付けられている。通気膜５７は、空気の通過を許容するが、水の通過を許容しない特性を有するものである。そのため、通気用縦貫通孔５１は、仮に脚天部３ｂの下面側の開口部分から湯水が浸入してきても、通気膜５７によって水の移動が阻止され、スピーカー収容部３ａ側の開口部分から上方に向けて抜けることができない。
【００６９】
脚底部３ｃは、平面視が略円形の板体の略中央部に外観が略山形の円錐部３ｆを有する形状とされている。円錐部３ｆは、その頂部が貫通孔３ｅの中央を通る中心軸上に位置するように略全周にわたって同一の傾斜で傾斜している。立設部３ｄは、脚天部３ｂと脚底部３ｃを繋ぐように両者の間に立設された部分であり、脚部３の周方向に２つ、互いに１８０度ずれた位置に設けられている。脚部３は、立設部３ｄが設けられた位置を除く脚底部３ｃの外周部分において、脚天部３ｂと脚底部３ｃとの間の空間が脚部３の周方向外側に向けて開放された状態となっている。
【００７０】
図２や図６（ｂ）に示すように、脚部３は、スピーカー収容部３ａにスピーカー５を収容した状態において、上記した内蔵ケース８の下端部に設けられたフランジ部２４ｂをスピーカー収容部３ａに対して上方から突き合わせた状態とされる。また、フランジ部２４ｂの下側に設けられた係合部２４ｃは、通気膜５７を介してスピーカー収容部３ａに設けられた切欠部３ｇに突き合わせた状態とされる。この状態でフランジ部２４ｂとスピーカー収容部３ａとをネジ止めすることにより、脚部３が本体部２と一体化されている。
【００７１】
上記したようにして内蔵ケース８と脚部３とが一体化されると、上記した通気用縦貫通孔５０，５１が通気膜５７を介して上下方向に連続した状態になる。これにより、通気用縦貫通孔５０，５１および通気用横穴５２からなる通気路５５が形成される。
【００７２】
また、本体部２の底部２２と脚部３とを一体化すると、本体部２側に取り付けられたスピーカー５の振動板３８が脚天部３ｂに設けられた貫通孔３ｅを介して脚底部３ｃに設けられた円錐部３ｆに対向した状態になる。そのため、スピーカー５から放射された音は、脚底部３ｃに設けられた円錐部３ｆに当たって反射し、脚部３の側方に設けられた開放部分から外側に向けて拡がることとなる。
【００７３】
本実施形態のオーディオ装置１は、上記したようにして本体部２と脚部３とを一体化すると共に、本体部２の上方から外装カバー７を被せて、周方向に回転させることにより形成される。外装カバー７は、内側に形成された係合溝９ａ〜９ｃのそれぞれに脚部３の外周に設けられた突起４１ａ〜４１ｃを係合させることにより取り付けられる。具体的には、外装カバー７を装着する際は、先ず脚部３に設けられた突起４１ａと、外装カバー７に設けられた係合溝９ａの縦溝部９ｙとが位置合わせされる。また、他の２つの突起４１，４１についても、それぞれ係合溝９ｂ，９ｃの縦溝部９ｙに位置合わせされる。この状態で外装カバー７を脚部３側に向けて押し込むと、突起４１ａ〜４１ｃがそれぞれ各係合溝９ａ〜９ｃの縦溝部９ｙ内を上方に向けて摺動する。
【００７４】
外装カバー７の下端部が脚部３に突き当たるまで押し込まれると、その後外装カバー７が脚部３に対して時計回り方向に相対回転される。これにより、突起４１ａ〜４１ｃのそれぞれが、係合溝９ａ〜９ｃを構成する周溝部９ｘに沿って摺動する。そして、さらに外装カバー７を相対回転させると、やがて係合溝９ａに設けられたリブ１１が突起４１ａに設けられた段部４１ｅと係合した状態になる。これにより、外装カバー７が、本体部２を構成する脚部３と一体化された状態になる。
【００７５】
上記したようにして外装カバー７を装着すると、外装カバー７の内周面が脚部３を構成するスピーカ収容部３ａの外周に設けられた突出部４３ａにほぼ面接触した状態になると共に、溝４３ｂに設けられたＯリング４５によってシールされた状態になる。これにより、本体部２の内部に水密な空間（水密部４７）が形成される。
【００７６】
また逆に、内部にセットされている外部メモリ３３の着脱や、電池ボックス６にセットされている電池の交換等を行う際は、上記したのと逆の手順により外装カバー７を取り外すことができる。
【００７７】
図６（ｂ）に示すように、外装カバー７を装着した状態において、外装カバー７の下端部と脚部３の脚天部３ｂとの間に若干の隙間６０が形成される。また、脚部３の外周面に設けられた通気用横穴５２は、開口部分が段違いになっており、脚部３を外側から観察した状態において突出部４３ａよりも下側の部分が上側の部分よりも奥側、すなわち脚部３の径方向内側に位置している。そのため、外装カバー７を装着した状態において、通気用横穴５２の開口の一部、すなわち開口のうち下側の部分は外装カバー７から離れている。さらに、通気用横穴５２は、隙間６０が形成された部分よりもやや上方に開口している。そのため、オーディオ装置１は、図６（ｂ）や図６（ｄ）に矢印で示すように、隙間６０から通気用横穴５２に至る空気が通過可能な通気領域６５を有する。また、通気領域６５は、図６（ｂ）や図６（ｄ）に矢印で示すように、隙間６０から内側に向かって流入する空気を一旦上方に立ち上げた後、通気用横穴５２に案内可能な形状とされている。
【００７８】
また、オーディオ装置１は、外装カバー７を内蔵ケース８および脚部３に対して覆い被さるように装着し、外装カバー７と脚部３とを相対回転させることにより両者が係合した状態となり、内部に水密部４７が形成される。そして、このように外装カバー７と脚部３とが係合するまで相対回転させると、外装カバー７の天面１５に設けられた各ボタン１７が、内蔵ケース８の天面２１ａに設けられた各開口２７に相当する位置に到来する。
【００７９】
すなわち、本実施形態のオーディオ装置１において、天面１５に設けられた各ボタン１７、並びに、内蔵ケース８の天面２１ａに設けられた開口２７の配置は、外装カバー７と脚部３とを係合した状態になることではじめて互いに対応した位置に到来するように調整されている。従って、オーディオ装置１は、脚部３に設けられた突起４１ａが外装カバー７の内側に設けられた係合溝９ａに嵌る状態にならないと、外装カバー７と脚部３とを係合させたり、外装カバー７の天面１５に設けられたボタン１７により制御基板１２ａに設けられた各スイッチ３０を操作することができない構造となっている。
【００８０】
上記したようにして外装カバー７を装着し、オーディオ装置１を組み立てた状態とすると、外装カバー７の外周面１６側から内蔵ケース８を構成するケース本体部２０の円弧部２３に設けられた表示装置２９を外装カバー７の外周面１６を通して視認することができる。
【００８１】
本実施形態のオーディオ装置１では、表示装置２９において表示面をなす板部２９ｄが外装カバー７の外周面１６（湾曲面）に沿うように湾曲している。また、プレート部材２９ｃが板部２９ｄに沿う形状に弾性変形して湾曲した状態で配されている。そのため、プレート部材２９ｃの端部には、表示装置２９の板部２９ｄから離れようとする方向に弾性力が作用している。しかし、上記したように、プレート部材２９ｃの外縁部分のうち、前記した湾曲方向の一端側および他端側に相当する部分は、内蔵ケース８の円弧部２３に設けられた開口部２３ａと表示装置２９との隙間から内蔵ケース８の内側に侵入し、内蔵ケース８の内側に隠れた状態になっている。すなわち、プレート部材２９ｃの外縁部分が、開口部２３ａを構成する縦縁部２３ｂ，２３ｂの裏側に回り込んだ状態になっている。そのため、オーディオ装置１は、例えば外部メモリ３３の着脱や電池の交換等のために外装カバー７を着脱する場合等、仮にユーザーの手等が内蔵ケース８やプレート部材２９ｃに触れるような機会があっても、プレート部材２９ｃの端部に手等がひっかかってプレート部材２９ｃが剥がれるような不具合が起こりにくい。
【００８２】
また、オーディオ装置１は、外装カバー７の内部に表示装置２９を収容し、さらにプレート部材２９ｃの端部を内蔵ケース８の内側に配した構成とされている。そのため、本実施形態のオーディオ装置１は、浴室のような湿度が高く、水で濡れるような場所で使用されても、プレート部材２９ｃの端部が濡れたり、湿気にさらされる可能性が極めて低い。そのため、本実施形態のオーディオ装置１は、プレート部材２９ｃが湿度等の影響により剥がれる可能性が極めて低い。
【００８３】
さらに、上記したようにオーディオ装置１は、プレート部材２９ｃの剥がれや浮き上がりが起こりにくいため、外装カバー７の内側にあるプレート部材２９ｃが外装カバー７に陰として写り込む等して外観が損なわれる可能性が低い。また、オーディオ装置１は、プレート部材２９ｃの剥がれた状態になりにくいため、板部２９ｄで発生する光が予期せぬ方向に漏洩したり反射することがなく、板部２９ｄに表示される発光の視認性が良い。
【００８４】
本実施形態のオーディオ装置１では、内蔵ケース８に設けられた開口部２３ａを取り囲む縁の一部をなす縦縁部２３ｂ，２３ｂを構成する傾斜面２３ｄ，２３ｄが内蔵ケース８の内側に向き、内蔵ケース８の外側から内側に向かうに連れて開口部２３ａに対して内蔵ケース８の周方向外側に向けて拡がるように傾斜した形状とされている。そして、この傾斜面２３ｄ，２３ｄにカバー部材２９ｂの板部２９ｄが内蔵ケース８の内側からプレート部材２９ｃを介して当接している。これにより、開口部２３ａに取り付けられた表示装置２９を正面視した場合に、内蔵ケース８の外周面と表示装置の板部２９ｄとがなだらかに連続したように見える。そのため、オーディオ装置１は、表示装置２９の正面側からしても開口部２３ａの縁と板部２９ｂとの間の隙間が目立たない。
【００８５】
また、本実施形態のオーディオ装置１では、開口部２３ａの下方側に位置する横縁部２３ｃに沿うようにケース本体部２０の内側に向く面にも傾斜面２３ｅがある。そして、この傾斜面２３ｅにおいてカバー部材２９ｂを構成する板部２９ｄの下端側に位置する下方外縁部２９ｋが、ケース本体部２０の内側から近接し、対向している。そのため、開口部２３ａに取り付けられた表示装置２９の下端側の部分についても内蔵ケース８の外周面と表示装置の板部２９ｄとがなだらかに連続したように見える。そのため、オーディオ装置１は、表示装置２９の正面側からしても開口部２３ａの下端部分と板部２９ｂとの間の隙間が目立たない。
【００８６】
さらに、プレート部材２９ｃは、少なくとも端部の曲率が、内蔵ケース８を構成する円弧部２３の曲率や、外装カバー７の曲率よりも大きくなっている。これにより、外装カバー７を装着した状態において、プレート部材２９ｃの中央の領域、すなわち発光により文字等が表示される部分は外装カバー７の内周面に近く、プレート部材２９ｃの湾曲方向一端側および他端側の部分は、前記した中央の領域よりも外装カバー７の内周面から離れた位置に存在している。そのため、オーディオ装置１では、表示装置２９を構成する板部２９ｄが縁取られたように見えるような不具合が起こりにくく、表示装置２９における発光による表示を鮮明に視認することができる。
【００８７】
オーディオ装置１は、外装カバー７を内蔵ケース８に被せた状態で、外装カバー７を内蔵ケース８に対して所定の回動方向に回動させることにより外装カバー７を固定したり、取り外したりすることができる。また、プレート部材２９ｃの端部のうち、少なくとも前記回動方向に位置する部分、すなわちプレート部材２９ｃの湾曲方向の一端側および他端側に相当する部分が内蔵ケース８の開口部２３ａと表示装置２９との隙間を介して内蔵ケース８の内側に侵入している。そのため、オーディオ装置１は、仮に外装カバー７を回動させる際に、プレート部材２９ｃに外装カバー７が擦れ合うようなことがあったとしても、プレート部材２９ｃが端部から剥がれていくような不具合が起こらない。
【００８８】
オーディオ装置１は、外装カバー７、内蔵ケース８、表示装置２９のプレート部材２９ｃ、板部２９ｄが全て乳白色であり、色相が統一されている。そのため、内蔵ケース８に設けられた開口部２３ａの縁部と表示装置２９の板部２９ｄとの間に幾ばくかの隙間や段差ができたとしても、これが外装カバー７側から見て目立たない。
【００８９】
本発明のオーディオ装置１は、外装カバー７の色相と、これに内蔵される内蔵ケース８等とが同一の色相に着色されたものであったが、本発明はこれに限定されるものではない。具体的には、外装カバー７の色相と、内蔵ケース８や表示装置２９のプレート部材２９ｃ、板部２９ｄのように外装カバー７内に収容される構成部材との色相が不一致であってもよい。このような構成とする場合についても、外装カバー７内に収容されている内蔵ケース８や表示装置２９のプレート部材２９ｃ、板部２９ｄの色相を統一すれば、各部材の間に形成される隙間や段差が外装カバー７の外側から見て目立たず、これらの隙間等によって外観が損なわれるのを防止することができる。
【００９０】
上記したオーディオ装置１では、プレート部材２９ｃの湾曲方向の一端側および他端側のみを開口部２３ａとカバー部材２９ｂとの隙間を介してケース本体部２０の内側に収容した構成を例示したが、本発明はこれに限定されるものではない。具体的には、カバー部材２９ｂの上端側の部分や下端側の部分についてもケース本体部２０の内側に収容された構成としてもよい。すなわち、カバー部材２９ｂの上端部や下端部が、開口部２３ａを取り囲む横縁部２３ｃ，２３ｃによって覆われた構成であってもよい。
【００９１】
また、上記実施形態では、プレート部材２９ｃの湾曲方向の一端側および他端側の部分全体を開口部２３ａを構成する縦縁部２３ｂ，２３ｂで覆う構成を例示したが、本発明はこれに限定されるものではなく、一部がケース本体部２０の外側に露出した構成であってもよい。
【００９２】
上記実施形態では、外装カバー７が円筒状であり、略全周にわたって外側に向けて凸状に湾曲したものであったが、本発明はこれに限定されるものではない。すなわち、外装カバー７は、表示装置２９に対向した部分以外の部位が平坦な形状であったり、内側に向けて凸形状であってもよい。
【００９３】
オーディオ装置１は、浴室のように高温になる場所に設置しても、その設置雰囲気の温度等によらず、本体部２の内外が略同圧となる。すなわち、上記したように、オーディオ装置１は、本体部２の底側を閉塞している脚部３の脚天部３ｂに、通気路５５を構成する通気用縦貫通孔５１が開口しており、これを介して本体部２の内外が設置状態を基準として上下方向に連通している。また、通気路５５を構成する通気用横穴５２は、脚部３を構成する脚天部３ｂの外周面に開口しており、通気用縦貫通孔５０，５１が連通して形成される上下方向に伸びる通路に連通している。さらに、通気用横穴５２は、図６（ｂ）などに示すように、脚天部３ｂと外装カバー７の間に形成された隙間６０や通気領域６５を介してオーディオ装置１の外部と連通している。そのため、オーディオ装置１は、通気路５５を介して本体部２が通気可能な状態となっている。従って、オーディオ装置１は、浴室のように室温の変化の大きい雰囲気下に設置されても、本体部２の内外が略同圧に維持される。よって、オーディオ装置１は、浴室のように室温の変化の大きい雰囲気下で使用されても、スピーカー５が動作不良を起こしたり、スピーカー５が故障するといったような不具合が起こりにくい。
【００９４】
上記した実施形態では、スピーカー５として、振動板３８の形状によりコーン型に分類されるものを採用した例を例示したが、本発明はこれに限定されるものではなく、ドーム形の振動板を使ったドーム型スピーカーや平面型、ベンディングウェーブ型等に分類されるものであってもよい。また、スピーカー５は、変換方式による分類によりダイナミック型に分類されるものや、マグネティック型、コンデンサ型（静電型）、圧電型等、従来公知のものから適宜選択することができる。スピーカー５は、振動の放射方式による分類や再生帯域による分類においても適宜のものを選択することができる。
【００９５】
上記実施形態で示したオーディオ装置１は、通気膜５７を主通気路５５ａに対して傾斜するように取り付けることにより、通気膜５７の横断面積を大きくとるものであったが本発明はこれに限定されるものではなく、通気膜５７を主通気路５５ａに対して略直交するように取り付けた構成としてもよい。また、オーディオ装置１は、主通気路５５ａの中途に拡径部５１ａを設け、これに通気膜５７を取り付けた構成であったが、本発明はこれに限定されるものではない。具体的には、拡径部５１ａを持たない構成等としてもよい。
【００９６】
上記したオーディオ装置１は、本体部２の外観が略円筒状のものであったが、本発明はこれに限定されるものではない。具体的には、オーディオ装置１は、例えば断面形状が正方形や矩形、多角形の筒等であってもよい。
【００９７】
上記実施形態のオーディオ装置１は、外部メモリ３３としていわゆるＵＳＢメモリを採用した例を例示したが、本発明はこれに限定されるものではなく、例えばＳＤメモリーカード（Secure Digital memory card）やハードディスク等、適宜のものを採用することができる。また、オーディオ装置１は、外部の通信網や装置と有線あるいは無線で接続可能な構成とし、外部の通信網や装置から送信されてきた音声データをスピーカー５を介して再生できるものであってもよい。また、オーディオ装置１は、音声データだけでなく、表示装置２９を介して動画データや静止画データを表示（再生）可能なものであってもよい。
【００９８】
オーディオ装置１は、制御基板１２ａに接続された外部メモリ３３から読み込まれた音声データを適宜再生可能なものであったが、本発明はこれに限定されるものではない。具体的には、オーディオ装置１は、ラジオチューナーやテレビチューナーを備えており当該チューナーで受信したラジオ放送やテレビ放送を視聴可能なものであったり、従来公知のカセットテープやＣＤ（Compact Disc）、ＭＤ（Mini Disc）、ＤＶＤ（Digital Versatile Disk）から音声データや画像データを読み込み、これをスピーカー５や表示装置２９により再生可能なものであってもよい。
【００９９】
上記実施形態では、外装カバー７の取り付け不良により電気・電子部材が故障等するのを防止すべく、外装カバー７がしっかりと取り付けられてはじめてボタン１７を押圧することによりスイッチ３０を操作可能な構成としたが、本発明はこれに限定されるものではなく、このような構成を採用していないものであってもよい。
【図面の簡単な説明】
【０１００】
【図１】本発明の一実施形態にかかるオーディオ装置を示す斜視図である。
【図２】図１のオーディオ装置の断面図である。
【図３】図１のオーディオ装置の分解斜視図である。
【図４】図１のオーディオ装置の分解斜視図である。
【図５】図１のオーディオ装置を脚部側から観察した状態における脚部近傍の構造を示す斜視図である。
【図６】（ａ）は脚部のスピーカ収容部の一部を示す斜視図、（ｂ）は脚部と本体部とを一体化した状態における要部を拡大した斜視図、（ｃ）は（ｂ）を矢印Ａ方向から見た状態を示す正面図、（ｄ）は脚部のスピーカ収容部近傍の構造を拡大して示す断面図である。
【図７】（ａ）外装カバーを示す断面図であり、（ｂ）は外装カバーに設けられた係合溝の一つを拡大した斜視図である。
【図８】（ａ）はケース本体部の前面カバー部を取り外した状態を示す分解斜視図であり、（ｂ）は表示装置を示す分解斜視図である。
【図９】（ａ）は図１のＡ−Ａ断面図であり、（ｂ）は（ａ）における表示装置の近傍を拡大した断面図である。
【図１０】（ａ）はカバー部材の天面図であり、（ｂ）はカバー部材の正面図である。
【図１１】（ａ）は前面カバー部の天面図であり、（ｂ）は前面カバー部を外周側から見た正面図、（ｃ）は前面カバー部の側面図、（ｄ）は前面カバー部の背面図、（ｅ）は前面カバー部を外周側から見た状態を示す斜視図、（ｆ）は前面カバー部を内周側から見た状態を示す斜視図である。
【符号の説明】
【０１０１】
１      オーディオ装置（浴室設置用電気・電子機器）
７      外装カバー
８      内蔵ケース
２０      ケース本体部
２３      円弧部
２３ａ    開口部
２３ｂ    縦縁部
２３ｄ    傾斜面
２９      表示装置（表示部）
２９ｂ    カバー部材
２９ｃ    プレート部材
２９ｄ    板部（表示面）
【図１】
2008278063.tif 000003
【図２】
2008278063.tif 000004
【図３】
2008278063.tif 000005
【図４】
2008278063.tif 000006
【図５】
2008278063.tif 000007
【図６】
2008278063.tif 000008
【図７】
2008278063.tif 000009
【図８】
2008278063.tif 000010
【図９】
2008278063.tif 000011
【図１０】
2008278063.tif 000012
【図１１】
2008278063.tif 000013